(57)【要約】【課題】短時間で照合が行えるとともに、誤出荷の虞を低減できる出荷管理システムを提供する。【解決手段】出荷管理装置１と、二次元コードを読取り可能な携帯電話機３とを備え、出荷管理装置１が、商品特定情報と個数とを含む出荷情報を記憶部１２に記憶し、記憶部１２から出荷情報を読み出して、出荷情報が記録された二次元コードを生成し、その二次元コードを複数の子コードに分割して、印刷部１８で、１以上の子コードを出荷される商品の照合に使用するための書類に印刷し、残りの子コードを商品用ラベルＬに印刷し、携帯電話機３が、１以上の子コードと残りの子コードとを読取ったときに、１以上の子コードと残りの子コードとが、１つの二次元コードから分割されたものであるときのみ、出荷情報を表示するように構成された出荷管理システムＳ。【選択図】図１
2007217094.tif 000002
【特許請求の範囲】
【請求項１】
記憶部と印刷部とを備えた出荷管理装置と、
二次元コードを読取り可能であって、二次元コードを分割することにより生成された二次元コード（以下、「子コード」という。）を複数読取ったときに、それらの子コードが１つの二次元コードから分割されたものであって、それらの子コード以外に該１つの二次元コードから分割された子コードがないときのみ、該１つの二次元コードに記録された情報を表示するように構成された二次元コード読取装置と、
を用いた物流管理方法であって、
前記出荷管理装置が、商品を特定可能な情報（以下、「商品特定情報」という。）と個数とを含む出荷情報の入力を受けて、又は、商品特定情報と個数とを含む注文情報の入力を受けて該注文情報に基づいて前記出荷情報を生成して、前記出荷情報を前記記憶部に記憶する出荷情報記憶ステップと、
前記出荷管理装置が、前記出荷情報を前記記憶部から読み出して前記出荷情報が記録された二次元コードを生成し、該二次元コードを複数の子コードに分割するコード生成ステップと、
前記出荷管理装置が、前記印刷部で、前記複数の子コードのうちの１以上の子コードを、出荷される商品の照合に使用するための書類に印刷するか、又は、該書類に付するための書類用付加物に印刷し、前記複数の子コードのうちの前記１以上の子コード以外の残りの子コードを、出荷される商品の包装に印刷するか、又は、出荷される商品若しくはその包装に付するための商品用付加物に印刷するコード印刷ステップと、
前記二次元コード読取装置が、前記書類又は前記書類用付加物に印刷された前記１以上の子コードと、前記包装又は前記商品用付加物に印刷された前記残りの子コードとを読取るコード読取りステップと、
を有することを特徴とする物流管理方法。
【請求項２】
前記出荷管理装置が前記１以上の子コードを出荷先の受信装置に送信するコード送信ステップを有することを特徴とする請求項１記載の物流管理方法。
【請求項３】
前記二次元コード読取装置が携帯電話機であることを特徴とする請求項１又は２記載の物流管理方法。
【請求項４】
注文側に備えられた二次元コード読取装置（以下、「注文側読取装置」という。）を用いた請求項１、２、又は３記載の物流管理方法であって、
前記注文側読取装置が、商品特定情報が記録された商品注文用二次元コードを読取って、該読み取った情報に基づいて商品特定情報と個数とを含む注文情報を生成して前記出荷管理装置に送信する注文情報送信ステップと、
前記出荷管理装置が、受信した前記注文情報に基づいて前記出荷情報を生成して、前記出荷情報を前記記憶部に記憶する前記出荷情報記憶ステップと、
を有することを特徴とする物流管理方法。
【請求項５】
前記注文側読取装置が、携帯電話機であることを特徴とする請求項４記載の物流管理方法。
【請求項６】
記憶部と印刷部とを備えた出荷管理装置と、二次元コードを読取り可能な二次元コード読取装置とを備えた出荷管理システムであって、
前記出荷管理装置が、
商品特定情報と個数とを含む出荷情報の入力を受けて、又は、商品特定情報と個数とを含む注文情報の入力を受けて該注文情報に基づいて前記出荷情報を生成して、前記出荷情報を前記記憶部に記憶し、
前記記憶部から前記出荷情報を読み出して、前記出荷情報が記録された二次元コードを生成し、該二次元コードを複数の子コードに分割して、前記印刷部で、前記複数の子コードのうちの１以上の子コードを、出荷される商品の照合に使用するための書類に印刷するか、又は、該書類に付するための書類用付加物に印刷し、前記複数の子コードのうちの前記１以上の子コード以外の残りの子コードを、出荷される商品の包装に印刷するか、又は、出荷される商品若しくはその包装に付するための商品用付加物に印刷する
ように構成され、
前記二次元コード読取装置が、
前記１以上の子コードと前記残りの子コードとを読取ったときに、前記１以上の子コードと前記残りの子コードとが、１つの二次元コードから分割されたものであるときのみ、前記出荷情報を表示する
ように構成されている
ことを特徴とする出荷管理システム。
【請求項７】
前記出荷管理装置が、出荷先の受信装置に接続されて、前記１以上の子コードを前記受信装置に送信するように構成されていることを特徴とする請求項６記載の出荷管理システム。
【請求項８】
前記二次元コード読取装置が携帯電話機であることを特徴とする請求項６又は７記載の出荷管理システム。
【請求項９】
記憶部と印刷部とを備えた出荷管理装置であって、
商品特定情報と個数とを含む出荷情報の入力を受けて、又は、商品特定情報と個数とを含む注文情報の入力を受けて該注文情報から前記出荷情報を生成して、前記出荷情報を前記記憶部に記憶し、
前記記憶部から前記出荷情報を読み出して、前記出荷情報が記録された二次元コードを生成し、該二次元コードを複数の子コードに分割して、前記印刷部で、前記複数の子コードのうちの１以上の子コードを、出荷される商品の照合に使用するための書類に印刷するか、又は、該書類に付するための書類用付加物に印刷し、前記複数の子コードのうちの前記１以上の子コード以外の残りの子コードを、出荷される商品の包装に印刷するか、又は、出荷される商品若しくはその包装に付するための商品用付加物に印刷する
ように構成されたことを特徴とする出荷管理装置。
【請求項１０】
出荷先の受信装置に接続されて、前記１以上の子コードを前記受信装置に送信するように構成されていることを特徴とする請求項９記載の出荷管理装置。
【請求項１１】
記憶部と印刷部とを備えた二次元コード生成印刷装置と、
二次元コードを読取り可能であって、子コードを複数読取ったときに、それらの子コードが１つの二次元コードから分割されたものであって、それらの子コード以外に該１つの二次元コードから分割された子コードがないときのみ、該１つの二次元コードに記録された情報を表示するように構成された二次元コード読取装置と、
を用いた商品照合方法であって、
前記二次元コード生成印刷装置が、商品特定情報を含む商品情報を、前記記憶部に記憶する商品情報記憶ステップと、
前記二次元コード生成印刷装置が、前記商品情報を前記記憶部から読み出して前記商品情報が記録された二次元コードを生成し、該二次元コードを複数の子コードに分割するコード生成ステップと、
前記二次元コード生成印刷装置が、前記印刷部で、前記複数の子コードのうちの１以上の子コードを、商品の照合に使用するための書類に印刷するか、又は、該書類に付するための書類用付加物に印刷し、前記複数の子コードのうちの前記１以上の子コード以外の残りの子コードを、商品の包装に印刷するか、又は、商品若しくはその包装に付するための商品用付加物に印刷するコード印刷ステップと、
前記二次元コード読取装置が、前記書類又は前記書類用付加物に印刷された前記１以上の子コードと、前記包装又は前記商品用付加物に印刷された前記残りの子コードとを読取るコード読取りステップと、
を有することを特徴とする商品照合方法。
【請求項１２】
前記二次元コード読取装置が携帯電話機であることを特徴とする請求項１１記載の商品照合方法。
【発明の詳細な説明】
【技術分野】
【０００１】
本発明は、二次元コードを読取り可能な携帯電話機を用いた物流管理方法、出荷管理システム、及び、商品照合方法に関する。
【背景技術】
【０００２】
従来、商品を出荷する際は、出荷する商品の品名、品番、個数等が記載された出荷指示書を見ながら、荷揃えを行い、梱包して出荷物を作成する。そして、この出荷物を、出荷指示書に記載された出荷先に出荷することとなるが、通常、出荷物は多数あるため、出荷物と出荷指示書との対応を間違えて、出荷物を異なる出荷先に送ってしまう誤出荷が発生する虞がある。このため、出荷物が出荷指示書と合っているかを出荷前に照合することが行われており、この照合方法としては、梱包を一部解いて内容物と出荷指示書の記載とを見比べる方法や、梱包時に出荷物に貼付された内容明細書の記載と出荷指示書の記載とを見比べる方法があった。
【０００３】
なお、商品特定情報が格納された二次元コードを携帯電話機で読取るシステムとして、下記特許文献１〜３に記載されたものがある。
【特許文献１】特開平２００５−３３２３２９号公報
【特許文献２】特開平２００５−３３２２５７号公報
【特許文献１】特開平２００５−３３２１３５号公報
【発明の開示】
【発明が解決しようとする課題】
【０００４】
しかし、梱包を一部解いて内容物と出荷指示書の記載とを照合する方法は、時間がかかるのみならず、見間違いによる誤出荷の虞が高かった。また、内容明細書の記載と出荷指示書の記載とを照合する方法も、品名、品番、個数等を１つ１つ見比べるため、時間がかかるのみならず、見間違いによる誤出荷の虞が高かった。
【０００５】
この発明は、上述した問題を解決するものであり、短時間で照合が行えるとともに、誤出荷の虞を低減できる物流管理方法、出荷管理システム、及び、商品照合方法を提供することを目的とする。
【課題を解決するための手段】
【０００６】
請求項１記載の物流管理方法は、記憶部と印刷部とを備えた出荷管理装置と、二次元コードを読取り可能であって、二次元コードを分割することにより生成された二次元コード（以下、「子コード」という。）を複数読取ったときに、それらの子コードが１つの二次元コードから分割されたものであって、それらの子コード以外に該１つの二次元コードから分割された子コードがないときのみ、該１つの二次元コードに記録された情報を表示するように構成された二次元コード読取装置と、を用いた物流管理方法であって、前記出荷管理装置が、商品を特定可能な情報（以下、「商品特定情報」という。）と個数とを含む出荷情報の入力を受けて、又は、商品特定情報と個数とを含む注文情報の入力を受けて該注文情報に基づいて前記出荷情報を生成して、前記出荷情報を前記記憶部に記憶する出荷情報記憶ステップと、前記出荷管理装置が、前記出荷情報を前記記憶部から読み出して前記出荷情報が記録された二次元コードを生成し、該二次元コードを複数の子コードに分割するコード生成ステップと、前記出荷管理装置が、前記印刷部で、前記複数の子コードのうちの１以上の子コードを、出荷される商品の照合に使用するための書類に印刷するか、又は、該書類に付するための書類用付加物に印刷し、前記複数の子コードのうちの前記１以上の子コード以外の残りの子コードを、出荷される商品の包装に印刷するか、又は、出荷される商品若しくはその包装に付するための商品用付加物に印刷するコード印刷ステップと、前記二次元コード読取装置が、前記書類又は前記書類用付加物に印刷された前記１以上の子コードと、前記包装又は前記商品用付加物に印刷された前記残りの子コードとを読取るコード読取りステップと、を有することを特徴とする。
【０００７】
これによれば、例えば出荷指示書や納品書等、出荷される商品の照合に使用するための書類には、直接印刷又は書類用付加物の付加により、１以上の子コードを付する一方、包装への直接印刷又は商品用付加物の付加により、商品又はその包装に残りの子コードを付することができる。そして、出荷前に、二次元コード読取装置で、書類に付された１以上の子コードと、商品又はその包装に付された残りの子コードとを読取れば、出荷情報が表示されるか否かで、出荷される商品がその書類に対応するものであるか否かが一目で分かるので、短時間で照合できるとともに誤出荷の虞を低減できる。
【０００８】
ここで、請求項２記載の物流管理方法のように、前記出荷管理装置が前記１以上の子コードを出荷先の受信装置に送信するコード送信ステップを有することとすれば、出荷先でも、送信された１以上の子コードと、商品又はその包装に付された残りの子コードとを、読取ることにより、受け取った商品が合っているか否かの照合を、短時間に行うことができる。
【０００９】
また、請求項３記載の物流管理方法のように、前記二次元コード読取装置が携帯電話機であることが好ましい。二次元コード読取装置として、一般的に普及している携帯電話機を用いれば、読取りのための専用機器が不要であり、導入コストを低減できるからである。
【００１０】
また、請求項４記載の物流管理方法のように、注文側に備えられた二次元コード読取装置（以下、「注文側読取装置」という。）を用い、前記注文側読取装置が、商品特定情報が記録された商品注文用二次元コードを読取って、該読み取った情報に基づいて商品特定情報と個数とを含む注文情報を生成して前記出荷管理装置に送信する注文情報送信ステップと、前記出荷管理装置が、受信した前記注文情報に基づいて前記出荷情報を生成して、前記出荷情報を前記記憶部に記憶する前記出荷情報記憶ステップと、を有することとしてもよい。商品注文が短時間で行えるとともに、誤入力の虞を低減できるからである。
【００１１】
また、請求項５記載の物流管理方法のように、前記注文側読取装置が、携帯電話機であることが好ましい。一般的に普及している携帯電話機を用いれば、読取りのための専用機器が不要であり、導入コストを低減できるからである。
【００１２】
請求項６記載の出荷管理システムは、記憶部と印刷部とを備えた出荷管理装置と、二次元コードを読取り可能な二次元コード読取装置とを備えた出荷管理システムであって、前記出荷管理装置が、商品特定情報と個数とを含む出荷情報の入力を受けて、又は、商品特定情報と個数とを含む注文情報の入力を受けて該注文情報に基づいて前記出荷情報を生成して、前記出荷情報を前記記憶部に記憶し、前記記憶部から前記出荷情報を読み出して、前記出荷情報が記録された二次元コードを生成し、該二次元コードを複数の子コードに分割して、前記印刷部で、前記複数の子コードのうちの１以上の子コードを、出荷される商品の照合に使用するための書類に印刷するか、又は、該書類に付するための書類用付加物に印刷し、前記複数の子コードのうちの前記１以上の子コード以外の残りの子コードを、出荷される商品の包装に印刷するか、又は、出荷される商品若しくはその包装に付するための商品用付加物に印刷するように構成され、前記二次元コード読取装置が、前記１以上の子コードと前記残りの子コードとを読取ったときに、前記１以上の子コードと前記残りの子コードとが、１つの二次元コードから分割されたものであるときのみ、前記出荷情報を表示するように構成されていることを特徴とする。
【００１３】
これによれば、例えば出荷指示書や納品書等、出荷される商品の照合に使用するための書類には、直接印刷又は書類用付加物の付加により、１以上の子コードを付する一方、包装への直接印刷又は商品用付加物の付加により、商品又はその包装に残りの子コードを付することができる。そして、出荷前に、二次元コード読取装置で、書類に付された１以上の子コードと、商品又はその包装に付された残りの子コードとを読取れば、出荷情報が表示されるか否かで、出荷される商品がその書類に対応するものであるか否かが一目で分かるので、短時間で照合できるとともに誤出荷の虞を低減できる。
【００１４】
ここで、請求項７記載の出荷管理システムのように、前記出荷管理装置が、出荷先の受信装置に接続されて、前記１以上の子コードを前記受信装置に送信するように構成されていることとしてもよい。出荷先でも、送信された１以上の子コードと、商品又はその包装に付された残りの子コードとを、読取ることにより、受け取った商品が合っているか否かの照合を、短時間に行うことができるからである。
【００１５】
また、請求項８記載の出荷管理システムのように、前記二次元コード読取装置が携帯電話機であることが好ましい。二次元コード読取装置として、一般的に普及している携帯電話機を用いれば、読取りのための専用機器が不要であり、導入コストを低減できるからである。
【００１６】
請求項９記載の出荷管理装置は、記憶部と印刷部とを備えた出荷管理装置であって、商品特定情報と個数とを含む出荷情報の入力を受けて、又は、商品特定情報と個数とを含む注文情報の入力を受けて該注文情報から前記出荷情報を生成して、前記出荷情報を前記記憶部に記憶し、前記記憶部から前記出荷情報を読み出して、前記出荷情報が記録された二次元コードを生成し、該二次元コードを複数の子コードに分割して、前記印刷部で、前記複数の子コードのうちの１以上の子コードを、出荷される商品の照合に使用するための書類に印刷するか、又は、該書類に付するための書類用付加物に印刷し、前記複数の子コードのうちの前記１以上の子コード以外の残りの子コードを、出荷される商品の包装に印刷するか、又は、出荷される商品若しくはその包装に付するための商品用付加物に印刷するように構成されたことを特徴とする。この出荷管理装置は、請求項１記載の物流管理方法及び請求項６記載の出荷管理システムのいずれにも適したものである。
【００１７】
ここで、請求項１０記載の出荷管理装置のように、出荷先の受信装置に接続されて、前記１以上の子コードを前記受信装置に送信するように構成してもよい。出荷先でも、送信された１以上の子コードと、商品又はその包装に付された残りの子コードとを、読取ることにより、受け取った商品が合っているか否かの照合を、短時間に行うことができるからである。
【００１８】
請求項１１記載の商品照合方法は、記憶部と印刷部とを備えた二次元コード生成印刷装置と、二次元コードを読取り可能であって、子コードを複数読取ったときに、それらの子コードが１つの二次元コードから分割されたものであって、それらの子コード以外に該１つの二次元コードから分割された子コードがないときのみ、該１つの二次元コードに記録された情報を表示するように構成された二次元コード読取装置と、を用いた商品照合方法であって、前記二次元コード生成印刷装置が、商品特定情報を含む商品情報を、前記記憶部に記憶する商品情報記憶ステップと、前記二次元コード生成印刷装置が、前記商品情報を前記記憶部から読み出して前記商品情報が記録された二次元コードを生成し、該二次元コードを複数の子コードに分割するコード生成ステップと、前記二次元コード生成印刷装置が、前記印刷部で、前記複数の子コードのうちの１以上の子コードを、商品の照合に使用するための書類に印刷するか、又は、該書類に付するための書類用付加物に印刷し、前記複数の子コードのうちの前記１以上の子コード以外の残りの子コードを、商品の包装に印刷するか、又は、商品若しくはその包装に付するための商品用付加物に印刷するコード印刷ステップと、前記二次元コード読取装置が、前記書類又は前記書類用付加物に印刷された前記１以上の子コードと、前記包装又は前記商品用付加物に印刷された前記残りの子コードとを読取るコード読取りステップと、を有することを特徴とする。
【００１９】
これによれば、商品の照合に使用するための書類には、直接印刷又は書類用付加物の付加により、１以上の子コードを付する一方、包装への直接印刷又は商品用付加物の付加により、商品又はその包装に残りの子コードを付することができる。そして、商品を照合する際は、二次元コード読取装置で、書類に付された１以上の子コードと、商品又はその包装に付された残りの子コードとを読取れば、商品情報が表示されるか否かで、商品がその書類に対応するものであるか否かが一目で分かるので、短時間で照合できるとともに、出荷前にこの方法を用いて商品を照合すれば、誤出荷の虞を低減できる。
【００２０】
ここで、請求項１２記載の商品照合方法のように、前記二次元コード読取装置が携帯電話機であることが好ましい。二次元コード読取装置として、一般的に普及している携帯電話機を用いれば、読取りのための専用機器が不要であり、導入コストを低減できるからである。
【００２１】
本発明の「書類用付加物」とは、書類に付すことができる物をいい、シール、ラベル等がある。また、「商品用付加物」とは、商品又はその包装に付すことができる物をいい、シール、ラベル、タグ、ワッペン、荷札、カード等がある。「包装」には、箱、袋、包装紙、帯紙等がある。
【００２２】
なお、書類又は書類用付加物に印刷すべき１以上の子コード（以下、「第１の子コード群」という。）と、商品の包装又は商品用付加物に印刷すべき残りの子コード（以下、「第２の子コード群」という。）の印刷順序は問わない。すなわち、本発明は、第１の子コード群を印刷後第２の子コード群を印刷する場合、第２の子コード群を印刷後第１の子コード群を印刷する場合、第１の子コード群と第２の子コード群とを同時に印刷する場合を含むものとする。なお、第１、第２の子コード群は、それぞれ、複数の子コードからなるものとは限らず、１つの子コードからなる場合もあり、読取り時間を短縮するためには、第１、第２のコード群は、それぞれ１つの子コードからなることが好ましい。
【００２３】
また、装置等に「送信する」と言うときは、その装置等に直接送信する場合のみならず、他の装置等を経てその装置等に届くように送信する場合も含むものとする。
【発明の効果】
【００２４】
本発明によれば、商品の照合に用いる書類に１以上の子コードを付すとともに、商品又はその包装に残りの子コードを付すことができ、二次元コード読取装置でそれらの子コードを読取れば、元の二次元コードに記録されていた情報が表示されるか否かで、商品がその書類に対応するものか否かが一目で分かるので、短時間で照合を行えるとともに、誤出荷の虞を低減できる。
【００２５】
また、二次元コード読取装置として、一般的に普及している携帯電話機を用いれば、読取りのための専用機器が不要であり、導入コストを低減できる。
【発明を実施するための最良の形態】
【００２６】
Ｉ．本発明の物流管理方法、出荷管理システム、及び、それらに用いる出荷管理装置の一実施形態について、説明する。
【００２７】
図１に示すように、本実施形態の出荷管理システムＳは、商品の生産及び出荷を行うメーカーに備えられており、出荷管理装置１と、携帯電話機３とから構成されている。
【００２８】
出荷管理装置１は、処理部１１と記憶部１２と通信部１４と入力部１５と表示部１６とを備えたコンピュータ１０と、コンピュータ１０に接続された印刷部１８とから構成されている。コンピュータ１０は、インターネットを介して、問屋に備えられた受信装置４に接続されており、受信装置４と交信可能である。
【００２９】
コンピュータ１０には、通信部１４を介して受信した（すなわち、入力された）注文情報や入力部１５により入力された注文情報に基づいて出荷情報を生成して、記憶部１２内の出荷情報データベース（以下、「出荷情報ＤＢ」と表記する。）１７に記憶するための出荷情報登録プログラム、出荷情報ＤＢ１７から出荷情報を読み出して、その出荷情報が記録された二次元コードを生成し、その二次元コードを複数の子コードに分割するためのコード生成・分割プログラム、印刷部１８に、１つの二次元コードから分割された複数の子コードのうちの１以上の子コード（第１の子コード群）を商品の照合に使用するための書類（本実施形態では、出荷指示書）に印刷させ、残りの子コード（第２の子コード群）を商品用付加物（本実施形態では、商品用ラベルＬ）に印刷させるための印刷プログラム、第１の子コード群を電子メールに付加して受信装置４に送信するための送信プログラム等が、インストールされている。本実施形態では、１つの二次元コードを２つの子コードに分割するものとする。したがって、第１、第２の子コード群は、それぞれ１つの子コードからなる。
【００３０】
なお、本実施形態の二次元コードは、二次元バーコードとも言い、より具体的には、株式会社デンソーウェーブのＱＲコード（登録商標）である。二次元コードを分割すると１つ１つが小さくなるため、従来、二次元コードの分割は、そのままでは二次元コードを印刷するスペースが足りないときに行われていた。
【００３１】
また、ＱＲコードを生成して分割するためのプログラムとしては、例えば、株式会社デンソーウェーブの「ＱＲ  ｄｒａｗ  ｊｒ．」、アイニックス株式会社の「ＢａｒＳｔａｒ  Ｐｒｏ  Ｖ１．３」等がある。上述したコード生成・分割プログラムは、かかるプログラムを利用するものであり、読み出した出荷情報をかかるプログラムに渡して、かかるプログラムにより出荷情報が記録された二次元コードを生成し、その二次元コードを所定数の子コードに分割して、それらの子コードを記憶部１２内の所定のエリアに記憶するように、コンピュータ１０を機能させるものである。
【００３２】
処理部１１は、ＣＰＵ、ＣＰＵのワークエリアとして動作するＲＡＭ、固定データを格納したＲＯＭ等から構成され、上述したような出荷管理装置１にインストールされたプログラムに従って、出荷情報の記憶部１２への記憶、出荷情報の記憶部１２からの読出しとその出荷情報に基づく二次元コードの生成と分割、印刷部１８への第１、第２の子コード群の印刷命令、第１の子コード群の受信装置４への送信等を行う。
【００３３】
記憶部１２は、ハードディスク装置、光磁気ディスク装置、フレキシブルディスク装置等から構成されており、記憶部１２には、出荷情報が格納（記憶）される出荷情報ＤＢ１７が構築されている。
【００３４】
通信部１４は、他の機器との通信を行うときのインタフェースとなる部分であり、出荷管理装置１は、通信部１４を介してインターネットに接続されている。
【００３５】
入力部１５は、キーボード、マウス等から構成され、ユーザの操作に応じて、注文情報等の各種データや、印刷指令等の各種指令等を、処理部１１に入力する。
【００３６】
表示部１６は、ディスプレイ装置である。
【００３７】
印刷部１８は、プリンタであり、処理部１１からの印刷命令に応じて、第１の子コード群を出荷指示書に印刷し、第２の子コード群を商品用ラベルＬに印刷する。
【００３８】
携帯電話機３は、二次元コードを読取り可能な機種であり、二次元コード読取装置となるものである。かかる機種としては、ＫＤＤＩ株式会社（ａｕ（商標又は登録商標））のＡ５５１７Ｔ、Ａ５５１６Ｔ、Ａ５５１５Ｋ、Ａ５５１４ＳＡ、株式会社エヌ・ティ・ティ・ドコモのＦＯＭＡ（登録商標）  ９０２ｉシリーズ、９０１ｉシリーズ、ボーダフォン株式会社の８０４ＳＨ、９０３Ｔ、９０３ＳＨ、８０３Ｔ，７０３ＳＨｆ等がある。かかる機種は、いずれも、分割された二次元コード（すなわち、子コード）を読み取って結合することができる。すなわち、携帯電話機３は、子コードを複数読取ったときに、それらの子コードが１つの二次元コード（以下、「元の二次元コード」という。）から分割されたものであって、それらの子コード以外に元の二次元コードから分割された子コードがないときのみ、元の二次元コードに記録された情報を表示するように構成されている。携帯電話機３による二次元コードの読取りは、所定の撮影操作によって行われる。
【００３９】
携帯電話機３の動作について詳説すると、携帯電話機３は、二次元コードを読取ったとき、その二次元コードが有する情報に基づいて、続きの二次元コード（すなわち、残りの子コード）があるか否かを判断し、あると判断すれば、その旨のメッセージを表示して、利用者に続きの二次元コードの読取り操作を促す。利用者が所定時間内に続きの二次元コードの読取り操作を行わなければ、前の二次元コードの読取りを無効とする。また、続きの二次元コードとして、異なる二次元コードから分割された子コードを読取った場合、携帯電話機３は、エラーメッセージを表示する。そして、携帯電話機３は、続きの二次元コードがないと判断した場合、すなわち、ある二次元コードから分割された子コードを所定時間内に全て読取った場合には、それらの子コードを結合し、その結合の結果得られた情報（すなわち、元の二次元コードに記録された情報）を画面上に表示する。
【００４０】
メーカーにとって出荷先に当たる問屋には、コンピュータである受信装置４と、携帯電話機５とが備えられている。携帯電話機５は、上述したように二次元コードを読取り可能な機種であり、二次元コード読取装置となるものである。
【００４１】
問屋にとって出荷先に当たる小売店には、コンピュータである受信装置６と、携帯電話機７とが備えられている。携帯電話機７は、上述したように二次元コードを読取り可能な機種であり、二次元コード読取装置となるものであって注文側読取装置に相当する。受信装置６は、受信装置４とインターネットを介して接続され、互いに交信可能とされている。
【００４２】
以上のように構成された出荷管理システムＳを用いた物流管理方法について、次に説明する。
【００４３】
まず、小売店の者は、消費者からの注文を受けると、カタログ等に付された商品注文用二次元コードを、携帯電話機７で撮影する。すると、携帯電話機７はその二次元コードを読取る（図２のＳ０１）。この二次元コードには、商品情報として商品の品名及び品番（商品コード）が記録されるとともに、所定の形式の電子メールを作成可能なメール形式（様式）データが記録されており、携帯電話機７は、この二次元コードを読取ったときに、商品の品名及び品番を表示するとともに、注文個数、納品希望日、自店の住所、自店の名前（小売店名）等を入力可能なメール形式を、画面に表示する。
【００４４】
小売店の者は、表示された形式に従って、個数、納品希望日、住所、小売店名等を入力し、問屋のメールアドレスを指定して、所定の送信操作を行う。すると、携帯電話機７は、商品を注文するための電子メール（以下、「注文メール」という。）を作成し、問屋のメールアドレス宛てに送信する（Ｓ０２  注文情報送信ステップ）。注文メールには、商品の品名、品番、個数、納品希望日、住所、小売店名等からなる注文情報が含まれている。なお、本実施形態では、品番が商品特定情報に相当するものとする。
【００４５】
このように、商品注文用二次元コードを読取ってその情報を基に注文情報を作成すれば、商品の注文が短時間で行えるとともに、商品注文用二次元コードに基づいて表示された情報（ここでは、品名及び品番）については注文者が入力する必要がないので、誤入力の虞を低減できる。また、一般に普及している携帯電話機７を用いて、二次元コードを読取って注文情報を作成・送信すれば、読取りのための専用機器が不要で、導入コストを低減できる。
【００４６】
受信装置４は、自店のメールアドレス宛てに送信された小売店からの注文メールを受信し、そのデータ（小売店データ）をデータベースに蓄積する（Ｓ０４）。また、受信装置４は、注文メールをそのままメーカーの出荷管理装置１に転送する（Ｓ０５）。
【００４７】
コンピュータ１０の処理部１１は、受信装置４からの注文メールを受信すると（Ｓ０６）、そのデータをデータベース化する（Ｓ０７）。すなわち、処理部１１は、注文メール中の注文情報に基づいて出荷情報を生成して、出荷情報ＤＢ１７に格納する（出荷情報記憶ステップ）。本実施形態では、注文情報に問屋名を付加して、出荷情報とする。本実施形態では、記憶部１２内に問屋名とメールアドレスとの対応テーブルを備えておき、処理部１１が、その対応テーブルから、注文メールの送信元のメールアドレスに基づいて問屋名を検索するものとするが、受信装置４が、注文メールに問屋名を付加して転送する場合には、その問屋名を用いることとしてもよい。
【００４８】
出荷情報ＤＢ１７には、図４に示すように、問屋名、小売店名、住所、納品希望日、品名、品番、個数からなる出荷情報が格納される。出荷情報には、識別情報としてナンバーが振られる。なお、本実施形態では、別々の注文メールに基づくものであっても、問屋名、小売店名、住所、納品希望日、品名、品番が同一のものは、個数を加算することにより、１つの出荷情報に纏めるものとするが、勿論、別々の出荷情報としてもよい。
【００４９】
処理部１１は、操作者が読出し条件を入力して所定の操作を行うと、出荷情報ＤＢ１７から、その読出し条件に適合する出荷情報を読み出して、その出荷情報が記録された二次元コードを生成し、その二次元コードを複数の子コードに分割する（コード生成ステップ  図２のＳ０８）。本実施形態では、２つの子コードに分割するので、以下、一方の子コードをコードＡ、他方の子コードをコードＢという。なお、コードＡが第１の子コード群、コードＢが第２の子コード群に相当する。
【００５０】
例えば、読出し条件として、問屋名、小売店名、及び、納品希望日を指定すると、処理部１１は、指定された問屋名、小売店名、及び、納品希望日を有する出荷情報を読み出す。そして、読み出した出荷情報を記録した二次元コードを生成し、その二次元コードをコードＡとコードＢの２つに分割する。コンピュータ１０の処理部１１は、出荷情報に対応付けて、その出荷情報に基づいて生成されたコードＡ、Ｂを記憶部１２内に記憶する。
【００５１】
そして、処理部１１は、印刷部１８に、出荷情報とその出荷情報から生成されたコードＡ、Ｂと印刷命令とを出力する。これに応じて、印刷部１８は、コードＢを商品用ラベルＬに印刷し（図１及び図２のＳ１０）、また、出荷される商品の照合に使用するための書類として、出荷情報が記載された出荷指示書を作成して、その出荷指示書にコードＡを印刷する（図１及び図２のＳ１１  コード印刷ステップ）。
【００５２】
なお、印刷時には、出荷情報とその出荷情報から生成されたコードＡ、Ｂとの対応が分かるようにする。このようにするには、例えば図５（ａ）に示すように、商品用ラベルＬが剥離可能に貼付された印刷用紙を用いて、商品用ラベルＬにコードＢを、商品用ラベルＬ以外の部分に出荷情報とコードＡとを印刷することにより、コードＡ、Ｂ付きの出荷指示書を作成する、あるいは、図５（ｂ）に示すように、コードＡと出荷情報とが印刷された出荷指示書の識別情報（図では、No.１２３）と同じ識別情報を、コードＢが印刷される商品用ラベルＬの台紙に印刷する等の方法がある。
【００５３】
荷揃えを行う者は、出荷指示書に印刷されている出荷情報を見て、注文された商品を注文された個数だけ揃え、梱包して出荷物とし、その出荷物に、その出荷情報に対応するコードＢが印刷された商品用ラベルＬを貼付する（図１及び図２のＳ１２）。例えば、図５（ａ）のような場合には、出荷指示書から商品用ラベルＬを剥離して出荷物に貼付し、図５（ｂ）のような場合には、出荷指示書と同じ識別情報が付された台紙から商品用ラベルＬを剥離して出荷物に貼付する。同様にして、荷揃えを行う者は、多数の出荷指示書から多数の出荷物を作成する。
【００５４】
出荷前に出荷者は、どの出荷物とどの出荷指示書とが対応するかを、次のようにして調べる。出荷者は、手元に出荷指示書と出荷物とを揃え、携帯電話機３で、出荷指示書のコードＡを読取って、所定時間内に、その出荷指示書に対応すると思われる出荷物のコードＢを読取る。携帯電話機３は、コードＡ、Ｂが１つの二次元コードから分割されたものであれば、元の二次元コードの内容である出荷情報を表示するが、コードＡ、Ｂが１つの二次元コードから分割されたものでなければ、上述したようにエラーメッセージを表示する（図１及び図２のＳ１３  コード読取りステップ）。なお、コードＡ、Ｂの読取り順は逆でもよい。
【００５５】
このように、出荷指示書と出荷物とが対応するものでなければ、出荷情報が表示されないので、出荷者は、一目で、出荷指示書と出荷物とが対応するものであるか否かを知ることができ、短時間に照合を行うことができる。また、品名や品番等を見比べる必要がないので、見間違いが起こらず、誤出荷の虞を低減できる。さらに、一般的に普及している携帯電話機３を用いて、二次元コードを読み取るので、読取りのための専用機器が不要であり、導入コストが低減できる。
【００５６】
出荷者は、不一致（すなわち、出荷物と出荷情報とが不対応）の場合、すなわち、携帯電話機３に出荷情報が表示されなかった場合には、他の出荷指示書若しくは出荷物を探してコードＡ、Ｂを携帯電話機３で読取る（図２のＳ１４）。一方、一致（すなわち、出荷物と出荷情報とが対応）した場合、すなわち、携帯電話機３に出荷情報が表示された場合には、出荷指示書から納品書を作成して、出荷先に出荷物を出荷するとともに納品書を送る（図２のＳ１５）。
【００５７】
そして、出荷者は、コンピュータ１０に、出荷済みの出荷情報を特定可能な情報を入力する。かかる情報としては、例えば、出荷指示書に印刷された出荷情報の識別情報でもよいし、出荷情報そのものでもよい。すると、処理部１１は、入力された情報により特定される出荷情報を出荷情報ＤＢ１７から削除するとともに、その出荷情報に対応するコードＡを、記憶部１２から読み出し、電子メールに付して、出荷先の問屋の受信装置４に送信する（図２のＳ１６）。
【００５８】
出荷物とコードＡとを受け取った問屋では（図３のＳ１７）、受信装置４にコードＡを表示させるか、又は、受信装置４に接続されたプリンタでコードＡを印刷しておき、携帯電話機５でコードＡを撮影し、所定時間内に、出荷物（入荷物）に付されたコードＢを撮影する。すると、携帯電話機５は、コードＡとコードＢとを読取って、それらが１つの二次元コードから分割されたものであれば、出荷情報を表示し、そうでなければ、エラーメッセージを表示する（図１及び図３のＳ１８）。
【００５９】
問屋の者は、不一致の場合、すなわち、携帯電話機５に出荷情報が表示されなかった場合には、受け取った他のコードＡ若しくは入荷物を探してコードＡ、Ｂを携帯電話機５で読取る（図３のＳ１９）。一方、一致した場合、すなわち、携帯電話機５に出荷情報が表示された場合には、納品書を作成して、出荷先に入荷物を出荷するとともに納品書を送る（図３のＳ２０）。すなわち、問屋でも、入荷物とコードＡとを携帯電話機５で読取ることにより、一目で、正しい入荷物か否かを知ることができ、短時間で照合が行えるとともに、見間違いによる誤出荷の虞を低減できる。また、一般的に普及している携帯電話機５を用いて、二次元コードを読み取るので、読取りのための専用機器が不要であり、導入コストを低減できる。
【００６０】
問屋の者は、一致したコードＡを、電子メールに付して、受信装置４から小売店の受信装置６に送信する操作を行う。この操作に従って、受信装置４は受信装置６にコードＡを送信する（図３のＳ２１）。
【００６１】
出荷物とコードＡとを受け取った小売店では、受信装置６にコードＡを表示させるか、又は、受信装置６に接続されたプリンタでコードＡを印刷しておき、携帯電話機７でコードＡを撮影し、所定時間内に、出荷物（入荷物）に付されたコードＢを撮影する。すると、携帯電話機７は、コードＡとコードＢとを読取って、それらが１つの二次元コードから分割されたものであれば、出荷情報を表示し、そうでなければ、エラーメッセージを表示する（図１及び図３のＳ２２）。
【００６２】
小売店の者は、不一致の場合、すなわち、携帯電話機７に出荷情報が表示されなかった場合には、受け取った他のコードＡ若しくは入荷物を探してコードＡ、Ｂを携帯電話機７で読取る（図３のＳ２３）。一方、一致した場合、すなわち、携帯電話機７に出荷情報が表示された場合には、誤出荷されたものではなく正しい入荷物であるので、消費者へ商品を渡す（図３のＳ２４）。すなわち、小売店でも、入荷物とコードＡとを照合することにより、一目で、正しい入荷物か否かを知ることができ、照合が短時間で行えるとともに、見間違いによる誤出荷の虞を低減できる。また、一般的に普及している携帯電話機７を用いて、二次元コードを読み取るので、読取りのための専用機器が不要であり、導入コストを低減できる。
〈変形例〉
以下、変形例について説明する。
【００６３】
（１）コードＡを、商品の照合に使用するための書類に直接印刷するのではなく、書類用付加物である書類用シールや書類用ラベルに印刷して、その書類用シールや書類用ラベルを商品の照合に使用するための書類に貼付するようにしてもよい。
【００６４】
（２）商品の照合に使用するための書類として、出荷指示書ではなく納品書を用いることとしてもよい。納品書とは、出荷先に送られる書類であり、出荷する商品の商品特定情報と個数とが記載されている。かかる納品書にコードＡを付して、出荷前に納品書のコードＡと出荷物のコードＢとを携帯電話機３で読取ることにより、納品書と出荷物とを照合し、一致した（すなわち、出荷情報が表示された）場合に、その納品書を出荷物とともに出荷先に送ることとする。これによれば、納品書にコードＡが付されているので、別途コードＡを送信する必要がない。
【００６５】
（３）本実施形態では、１つの出荷情報には１種類の商品についての情報しか含まれないこととしたが、１つの出荷情報に複数種類の商品についての情報を含めるようにしてもよい。
【００６６】
（４）本実施形態では、１つの出荷情報から１枚の出荷指示書が作成されることとして、１枚の出荷指示書にはコードＡが１つだけ付されるようにしたが、例えば問屋名・小売店名・納品希望日が同一の出荷情報は１枚の出荷指示書に含める等、１枚の出荷指示書に複数の出荷情報を含めることとして、１枚の出荷指示書に複数のコードＡが付されるようにしてもよい。また、複数の出荷情報に基づく商品を１つの出荷物に梱包したときは、１つの出荷物に複数のコードＢが付されることとなる。
【００６７】
（５）電話、ファクシミリ等で受けた注文情報に基づいて、入力部１５を用いてコンピュータ１０に出荷情報を直接入力することとしてもよい。
【００６８】
（６）子コードを付すスペースが制限される場合等には、二次元コードを３つ以上の子コードに分割してもよい。例えば、４つに分割したときは、そのうちの１つを書類に３つを商品に付す形態、２つを書類に２つを商品に付す形態、３つを書類に１つを商品に付す形態があり得る。但し、２つに分割することが望ましい。読取りの手間が少ないからである。
【００６９】
（７）二次元コード読取装置としてハンディターミナル等、携帯電話機３、５、７以外のものを用いてもよい。但し、一般に普及している携帯電話機を用いれば、読取りのための専用機器が不要となって導入コストを低減できる。
【００７０】
（８）コンピュータ１０と印刷部１８とは、本実施形態のように別体でもよいし、一体（すなわち、コンピュータ１０に印刷部１８が含まれている形態）としてもよい。
【００７１】
（９）商品用付加物として商品用ラベルＬ以外のものを用いてもよい。また、商品の包装に直接コードＢを印刷することとしてもよい。
ＩＩ．次に、本発明の商品照合方法の一実施形態について説明する。上記Ｉ．の実施形態では、複数の商品を纏めて梱包した出荷物の各々に子コードを付すとともに、出荷指示書の各々に子コードを付したが、本実施形態では、商品の各々に子コードを付すとともに、出荷指示書中の商品についての情報の各々に子コードを付す。
【００７２】
図６に示すように、商品照合システムは、二次元コード生成印刷装置２と携帯電話機９とから構成され、多種類の商品を荷揃えして出荷する問屋に備えられている。二次元コード生成印刷装置２は、コンピュータ２０と、コンピュータ２０に接続されたプリンタである印刷部２８とから構成されている。
【００７３】
コンピュータ２０は、ＣＰＵ、ＲＡＭ、ＲＯＭ等からなる処理部２１と、ハードディスク装置等からなる記憶部２２と、キーボード、マウス等からなる入力部２５と、ディスプレイ装置である表示部２６とを備えている。処理部２１は、コンピュータ２０にインストールされたプログラムに従って、商品情報の記憶部２２への記憶、商品情報の記憶部２２からの読出しとその商品情報に基づく二次元コードの生成と分割、印刷部２８への子コードの印刷命令等を行う。二次元コードの生成と分割の際は、上述したようなＱＲコードを生成して分割するためのプログラムを利用する。
【００７４】
携帯電話機９は、上述したような二次元コードを読取り可能な機種であり、二次元コード読取装置となるものである。
【００７５】
以上のように構成された商品照合システムを用いた商品照合方法について、次に説明する。
【００７６】
〈商品情報記憶ステップ〉コンピュータ２０の処理部２１は、入力部２５により入力された商品情報を、記憶部２２に記憶する。本実施形態では、商品情報は、品番（商品コード）、品名、色、及び、メーカー名からなり、品番が商品特定情報に相当するものとする。なお、コンピュータ２０が通信部を備えて、その通信部を介して他の機器から受信した（すなわち入力された）商品情報を、記憶部２２に記憶することとしてもよい。また、例えば、記憶部２２内に、品番と、品名、色、及び、メーカー名とが対応付けられて格納された商品データベースを設けておき、入力された品名及び色に基づいて商品データベースを検索することにより、品番及びメーカー名を取得して、商品情報を生成し、その商品情報を記憶部２２に記憶することとしてもよい。すなわち、商品情報は、入力された情報そのものではなく、入力された情報に基づいて生成されたものであってもよい。
【００７７】
〈コード生成ステップ〉次に、処理部２１は、例えば商品情報の読出し条件（例えば、品番指定やメーカー名指定）の入力とコード生成指示操作等の操作者の操作に応じて、商品情報を記憶部２２から読み出してその商品情報が記録された二次元コードを生成し、その二次元コードを複数の子コードに分割する。本実施形態では、コードａ、ｂの２つに分割するものとする。処理部２１は、コードａ、ｂを、品番と対応付けて、記憶部２２に記憶する。
【００７８】
〈コード印刷ステップ〉処理部２１は、例えば印刷するコードの条件指定（例えば品番指定）と印刷指示操作等の操作者の操作に応じて、印刷部２８にコードｂと印刷命令とを出力し、これに応じて、印刷部２８は、コードｂを商品用ラベルＬ１に印刷する。二次元コード生成印刷装置２は、例えば操作者による枚数指定に応じて、複数枚の商品用ラベルＬ１にコードｂを印刷する。問屋の者は、この商品用ラベルＬ１を、該当する商品又はその包装に貼付する。なお、どのコードｂがどの商品に該当するかは、例えば、処理部２１が印刷部２８にコードｂと印刷命令を出力する際に該当する商品の品番をも出力し、コードｂの印刷時に商品用ラベルＬ１の台紙にその品番を印刷すること等により、分かるようにするものとする。倉庫には、商品用ラベルＬ１が貼付された商品が多数用意されることとなる。
【００７９】
また、処理部２１は、例えば出荷指示書の内容入力（例えば、品番、品名、個数の入力）と印刷指示操作等の操作者の操作に応じて、出荷する商品の品番、品名、個数等が記載された出荷指示書を印刷するときに、品番に基づいてその商品のコードａを記憶部２２から読み出して、品番との対応が分かるように出荷指示書に印刷する。本実施形態では、図６に示すように、品番に並べてコードａを印刷することにより、品番とコードａとの対応が分かるようにされている。本実施形態では、この出荷指示書が、商品の照合に使用するための書類に相当する。
【００８０】
〈コード読取りステップ〉出荷者は、出荷指示書に従って荷揃えを行うとき、携帯電話機９で出荷指示書のコードａを撮影し、所定時間内に、該当すると思われる商品に付されたコードｂを撮影する。すると、携帯電話機９は、コードａとコードｂとを読取って、それらが１つの二次元コードから分割されたものであれば（すなわち、同じ商品に対応するものであれば）、それらを結合して、元の二次元コードに記録されている情報、すなわち、商品情報を表示し、そうでなければ、エラーメッセージを表示する。
【００８１】
例えば、図６において、出荷指示書の品番１００のコードａを読取った後、品番１００の商品Ｘのコードｂを読取ったときは、携帯電話機９には商品情報が表示されるが、品番を見誤って品番１０１の商品Ｙのコードｂを読取ったときは、商品情報は表示されない。
【００８２】
このように、本実施形態の商品照合方法によれば、商品情報が表示されるか否かで、該当する商品か否かが分かるので、短時間に照合が行えるとともに、書類に対応しない商品を見間違いにより対応する商品としてしまう虞を低減できる。また、出荷前にこの方法を用いて商品の照合を行えば、誤出荷の虞を低減できる。さらに、二次元コード読取装置として携帯電話機９を用いれば、導入コストを低減できる。
【００８３】
なお、商品照合方法においても、種々の変形が可能であり、例えば、３つ以上の子コードに分割してもよいし、二次元コード読取装置としてハンディターミナルを用いてもよい。また、コンピュータ２０と印刷部２８とを一体としてもよい。
【００８４】
すなわち、特許請求の範囲を逸脱しない範囲で、本発明は種々の構成を採り得る。
【図面の簡単な説明】
【００８５】
【図１】本発明の一実施形態に係る出荷管理システム及び出荷管理装置の構成図である。
【図２】同実施形態に係る物流管理方法のフローチャートである。
【図３】同実施形態に係る物流管理方法のフローチャートであり、図２の続きである。
【図４】同実施形態に係る出荷情報ＤＢの内容を示す図である。
【図５】（ａ）は、商品用ラベルが貼付された状態で出荷指示書を作成する例、（ｂ）は、出荷指示書と商品用ラベルとを別々に作成する例である。
【図６】本発明の一実施形態に係る商品照合方法を説明するための図である。
【符号の説明】
【００８６】
１…出荷管理装置
２…二次元コード生成印刷装置
３、５、７、９…携帯電話機
４、６…受信装置
１２、２２…記憶部
１８、２８…印刷部
Ｓ…出荷管理システム
Ｌ、Ｌ１…商品用ラベル
【図１】
2007217094.tif 000003
【図２】
2007217094.tif 000004
【図３】
2007217094.tif 000005
【図４】
2007217094.tif 000006
【図５】
2007217094.tif 000007
【図６】
2007217094.tif 000008